(57)【要約】【課題】防犯性を向上しうる。【解決手段】照明装置３５が設けられた建物Ｂである。照明装置３５は、屋外を照らすように建物Ｂの外装部４に設けられており、かつ、照明装置３５の水平地盤面３８への投影形状４０は、少なくとも一つの建物輪郭線２１に沿って連続するライン状である。【選択図】図６
2015140644.tif 000002
【特許請求の範囲】
【請求項１】
照明装置が設けられた建物であって、
前記照明装置は、屋外を照らすように前記建物の外装部に設けられており、かつ、前記照明装置の水平地盤面への投影形状は、少なくとも一つの建物輪郭線に沿って連続するライン状であることを特徴とする建物。
【請求項２】
前記建物輪郭線は、前記建物の正面、背面、一方の側面及び他方の側面を形成し、
前記照明装置の前記投影形状は、前記正面、前記背面、前記一方の側面又は前記他方の側面を途切れることなく連続している請求項１記載の建物。
【請求項３】
前記照明装置の前記投影形状は、向きが異なる複数の前記建物輪郭線に沿って屈曲している請求項１又は２記載の建物。
【請求項４】
前記照明装置の前記投影形状は、前記建物輪郭線の全部に沿って連続している請求項１乃至３のいずれかに記載の建物。
【請求項５】
屋根と建物本体とを有し、
前記建物本体は、前記屋根から屋外側に突出する突出部を含むことにより、前記建物輪郭線は、前記屋根の輪郭で構成される屋根輪郭部と、前記突出部の輪郭で構成される突出輪郭部とを含み、
前記照明装置の前記投影形状は、前記屋根輪郭部に沿った第１部分と、前記突出輪郭部に沿った第２部分とを有している請求項１乃至４のいずれかに記載の建物。
【請求項６】
前記照明装置は、前記建物輪郭線よりも屋内側に控えた位置に設けられている請求項１乃至５のいずれかに記載の建物。
【請求項７】
照明装置及び屋根を有する建物であって、
前記照明装置は、屋外を照らすように前記屋根に設けられており、かつ、前記照明装置の水平地盤面への投影形状は、少なくとも一つの屋根輪郭線に沿って連続するライン状であることを特徴とする建物。
【請求項８】
前記屋根輪郭線は、前記屋根の軒側に形成される軒輪郭線、前記屋根の棟側に形成される棟輪郭線、前記屋根の一方のケラバ側に形成される一方のケラバ輪郭線、及び、前記屋根の他方のケラバ側に形成される他方のケラバ輪郭線を含み、
前記照明装置の投影形状は、前記軒輪郭線、前記棟輪郭線、前記一方のケラバ輪郭線、又は、前記他方のケラバ輪郭線を途切れることなく連続している請求項７記載の建物。
【請求項９】
前記照明装置の前記投影形状は、向きが異なる複数の前記屋根輪郭線に沿って屈曲している請求項７又は８記載の建物。
【請求項１０】
前記照明装置の前記投影形状は、前記屋根輪郭線の全部に沿って連続している請求項７乃至９のいずれかに記載の建物。
【請求項１１】
前記照明装置の光源は、発光ダイオードである請求項１乃至１０のいずれかに記載の建物。
【発明の詳細な説明】
【技術分野】
【０００１】
本発明は、屋外を照らす照明装置が設けられた建物に関する。
【背景技術】
【０００２】
従来、建物の外装部には、屋外を照らす照明装置が設けられている。このような照明装置は、建物周囲のライトアップや、防犯性を向上させるのに役立つ。
【先行技術文献】
【特許文献】
【０００３】
【特許文献１】特開平０６−３０９９１８号公報
【発明の概要】
【発明が解決しようとする課題】
【０００４】
しかしながら、従来の照明装置は、外装部の一部分に設けられていた為、建物周囲には、部分的な暗がりが生じやすいという問題があった。このような暗がりは、建物に死角を提供するため、防犯性において改善の余地があった。
【０００５】
本発明は、以上のような実状に鑑み案出されたもので、少なくとも一つの建物外周部に沿って、照明装置を連続して設けることを基本として、防犯性を向上しうる建物を提供することを主たる目的としている。
【課題を解決するための手段】
【０００６】
本発明は、照明装置が設けられた建物であって、前記照明装置は、屋外を照らすように前記建物の外装部に設けられており、かつ、前記照明装置の水平地盤面への投影形状は、少なくとも一つの建物輪郭線に沿って連続するライン状であることを特徴とする。
【０００７】
本発明に係る前記建物において、前記建物輪郭線は、前記建物の正面、背面、一方の側面及び他方の側面を形成し、前記照明装置の前記投影形状は、前記正面、前記背面、前記一方の側面又は前記他方の側面を途切れることなく連続しているのが望ましい。
【０００８】
本発明に係る前記建物において、前記照明装置の前記投影形状は、向きが異なる複数の前記建物輪郭線に沿って屈曲しているのが望ましい。
【０００９】
本発明に係る前記建物において、前記照明装置の前記投影形状は、前記建物輪郭線の全部に沿って連続しているのが望ましい。
【００１０】
本発明に係る前記建物において、屋根と建物本体とを有し、前記建物本体は、前記屋根から屋外側に突出する突出部を含むことにより、前記建物輪郭線は、前記屋根の輪郭で構成される屋根輪郭部と、前記突出部の輪郭で構成される突出輪郭部とを含み、前記照明装置の前記投影形状は、前記屋根輪郭部に沿った第１部分と、前記突出輪郭部に沿った第２部分とを有しているのが望ましい。
【００１１】
本発明に係る前記建物において、前記照明装置は、前記建物輪郭線よりも屋内側に控えた位置に設けられているのが望ましい。
【００１２】
本発明は、照明装置及び屋根を有する建物であって、前記照明装置は、屋外を照らすように前記屋根に設けられており、かつ、前記照明装置の水平地盤面への投影形状は、少なくとも一つの屋根輪郭線に沿って連続するライン状であることを特徴とする。
【００１３】
本発明に係る前記建物において、前記屋根輪郭線は、前記屋根の軒側に形成される軒輪郭線、前記屋根の棟側に形成される棟輪郭線、前記屋根の一方のケラバ側に形成される一方のケラバ輪郭線、及び、前記屋根の他方のケラバ側に形成される他方のケラバ輪郭線を含み、前記照明装置の投影形状は、前記軒輪郭線、前記棟輪郭線、前記一方のケラバ輪郭線、又は、前記他方のケラバ輪郭線を途切れることなく連続しているのが望ましい。
【００１４】
本発明に係る前記建物において、前記照明装置の前記投影形状は、向きが異なる複数の前記屋根輪郭線に沿って屈曲しているのが望ましい。
【００１５】
本発明に係る前記建物において、前記照明装置の前記投影形状は、前記屋根輪郭線の全部に沿って連続しているのが望ましい。
【００１６】
本発明に係る前記建物において、前記照明装置の光源は、発光ダイオードであるのが望ましい。
【発明の効果】
【００１７】
請求項１記載の発明は、照明装置が設けられた建物である。照明装置は、屋外を照らすように建物の外装部に設けられている。また、照明装置の水平地盤面への投影形状は、少なくとも一つの建物輪郭線に沿って連続するライン状である。
【００１８】
このような請求項１記載の照明装置は、建物輪郭線に沿って、水平地盤面を満遍なく照らすことができるため、建物周囲に部分的な暗がりが生じるのを防ぐことができる。従って、請求項１記載の建物は、死角が提供されるのを抑制でき、防犯性を向上させることができる。
【００１９】
請求項７記載の発明は、照明装置及び屋根を有する建物である。照明装置は、屋外を照らすように屋根に設けられている。また、照明装置の水平地盤面への投影形状は、少なくとも一つの屋根輪郭線に沿って連続するライン状である。
【００２０】
このような請求項７記載の照明装置は、屋根輪郭線に沿って、水平地盤面を満遍なく照らすことができるため、建物周囲に部分的な暗がりが生じるのを防ぐことができる。従って、請求項７記載の建物は、死角が提供されるのを抑制でき、防犯性を向上させることができる。
【図面の簡単な説明】
【００２１】
【図１】本実施形態の建物の正面図である。
【図２】図１の建物の背面図である。
【図３】図１の建物の一方の側面図である。
【図４】図１の建物の他方の側面図である。
【図５】図１の建物の平面図である。
【図６】本実施形態の建物輪郭線、及び、照明装置の水平地盤面への投影形状を示す平面図である。
【図７】本実施形態の照明装置の部分斜視図である。
【図８】本発明の他の実施形態の建物の部分平面図である。
【図９】本発明のさらに他の実施形態の建物の平面図である。
【図１０】図９の屋根輪郭線、及び、照明装置の水平地盤面への投影形状を示す平面図である。
【発明を実施するための形態】
【００２２】
以下、本発明の実施の一形態が図面に基づき説明される。
図１は、本実施形態の建物の正面図、図２は、建物の背面図、図３は、建物の一方の側面図、図４は、建物の他方の側面図、及び、図５は、建物の平面図である。本発明は、一般的な住宅やビル等の建物Ｂである。本実施形態の建物Ｂは、屋根２と、建物本体３と、外装部４とを有している。
【００２３】
本実施形態の屋根２は、例えば、棟側Ｓ２から軒側Ｓ１に向かって一方向のみに勾配を有する片流れ屋根として構成されている。図２及び図３に示されるように、屋根２は、建物本体３よりも、軒側Ｓ１、一方のケラバ側Ｓ３及び他方のケラバ側Ｓ４に突出している。このため、屋根２には、軒側Ｓ１、一方のケラバ側Ｓ３及び他方のケラバ側Ｓ４において、軒天井５（図２及び図３に示す）が形成されている。
【００２４】
本実施形態の建物本体３には、例えば、居室空間６、トイレや浴室等の非居室空間（図示省略）、及び、バルコニー７等が設けられている。さらに、建物本体３には、図２及び図３に示されるように、屋根２から屋外側に突出する突出部１１が設けられている。
【００２５】
本実施形態の突出部１１は、建物Ｂの背面側Ｔ２（屋根２の棟側Ｓ２）に形成される第１突出部１２と、建物Ｂの一側面側Ｔ３（屋根２の一方のケラバ側Ｓ３）に形成される第２突出部１３とを含んでいる。
【００２６】
第１突出部１２は、図５に示される平面視において、建物Ｂの背面側Ｔ２に突出する一対の側面１２ａ、１２ｂと、一対の側面１２ａ、１２ｂの端部を継ぐ継面１２ｃとを含み、矩形状に形成されている。また、第１突出部１２は、第２突出部１３よりも大に設定されている。さらに、第１突出部１２の各側面１２ａ、１２ｂは、屋根２の各ケラバ側Ｓ３、Ｓ４の外面よりも、建物Ｂの幅方向の内側に控えた位置に配置されている。
【００２７】
第２突出部１３は、第１突出部１２と同様に、一対の側面１３ａ、１３ｂ及び継面１３ｃを含み、矩形状に形成されている。第２突出部１３の正面側Ｔ１に配される第１側面１３ａは、屋根２の軒側Ｓ１の外面よりも、背面側Ｔ２に配置されている。また、第２突出部１３の背面側Ｔ２に配置される第２側面１３ｂは、屋根２の棟側Ｓ２の外面と一致している。
【００２８】
図１に示されるように、本実施形態の外装部４は、屋根２の屋外側を覆う屋根外装部４Ａと、建物本体３の屋外側を覆う本体外装部４Ｂとを含んでいる。
【００２９】
屋根外装部４Ａは、例えば、屋根面２ｓを構成する複数の屋根パネル１５と、屋根２の外周に沿って配される屋根縁化粧材１６と、軒天井５を形成する軒天井材１７（図２に示す）とを含んでいる。本実施形態の屋根パネル１５は、ソーラーパネル１５ａで構成されているが、瓦等で構成されてもよい。
【００３０】
図５に示されるように、屋根縁化粧材１６は、例えば、軒側Ｓ１に配置される軒側化粧材１６ａ、棟側Ｓ２に配置される棟側化粧材１６ｂ、一方のケラバ側Ｓ３に配置される一方のケラバ側化粧材１６ｃ、及び、他方のケラバ側Ｓ４に配置される他方のケラバ側化粧材１６ｄを含んで構成されている。軒天井材１７は、軒側Ｓ１の軒天井５を形成する軒側軒天井材１７ａ（図３に示す）と、各ケラバ側Ｓ３、Ｓ４の軒天井５を形成する一対のケラバ側軒天井材１７ｂ、１７ｃ（図２に示す）とを含んで構成されている。
【００３１】
図１に示されるように、本体外装部４Ｂには、例えば、外壁１９、及び、サッシ２０が含まれる。外壁１９は、例えば、屋外側に配される外装パネル１９ａによって構成されている。この外装パネル１９ａには、複数のタイル等が配置されてもよい。また、サッシ２０は、例えば、窓枠２０ａ、及び、屋根２の棟側Ｓ２の下端に固着される外壁化粧材２０ｂ（図２に示す）を含んで構成されている。
【００３２】
図６は、本実施形態の建物輪郭線及び照明装置の水平地盤面への投影形状を示す平面図である。図５及び図６に示されるように、平面視での建物輪郭線２１は、屋根２の輪郭で構成される屋根輪郭部２２と、突出部１１の輪郭で構成される突出輪郭部２３とを含んで構成されている。
【００３３】
屋根輪郭部２２は、軒側Ｓ１に形成される軒輪郭部２２ａ、棟側Ｓ２に形成される棟輪郭部２２ｂ、一方のケラバ側Ｓ３に形成される第１ケラバ輪郭部２２ｃ、及び、他方のケラバ側Ｓ４に形成される第２ケラバ輪郭部２２ｄを含んでいる。
【００３４】
軒輪郭部２２ａは、軒側化粧材１６ａの外面の全域に設定されている。また、棟輪郭部２２ｂは、棟側化粧材１６ｂの外面のうち、第１突出部１２の各側面１２ａ、１２ｂよりも幅方向両外側の外面に設定されている。
【００３５】
第１ケラバ輪郭部２２ｃは、一方のケラバ側化粧材１６ｃの外面うち、第２突出部１３の第１側面１３ａよりも正面側Ｔ１の外面に設定されている。一方、第２ケラバ輪郭部２２ｄは、他方のケラバ側化粧材１６ｄの外面の全域に設定されている。
【００３６】
突出輪郭部２３は、第１突出部１２に形成される第１突出輪郭部２９、及び、第２突出部１３に形成される第２突出輪郭部３０を含んでいる。これらの第１突出輪郭部２９及び第２突出輪郭部３０は、平面視矩形状に形成されている。
【００３７】
第１突出輪郭部２９は、棟輪郭部２２ｂ、２２ｂと直交する第１輪郭片２９ａ及び第２輪郭片２９ｂ、並びに、各輪郭片２９ａ、２９ｂの端部を継ぐ第３輪郭片２９ｃを含んで構成されている。第１輪郭片２９ａ及び第２輪郭片２９ｂは、第１突出部１２の各側面１２ａ、１２ｂの全域にそれぞれ設定されている。また、第３輪郭片２９ｃは、第１突出部１２の継面１２ｃの全域に設定されている。
【００３８】
第２突出輪郭部３０は、第１ケラバ輪郭部２２ｃと直交する第１輪郭片３０ａ、棟輪郭部２２ｂと同一直線上にのびる第２輪郭片３０ｂ、及び、各輪郭片３０ａ、３０ｂの各端部を継ぐ第３輪郭片３０ｃを含んで構成されている。第１輪郭片３０ａ及び第２輪郭片３０ｂは、第２突出部１３の各側面１３ａ、１３ｂの全域にそれぞれ設定されている。また、第３輪郭片３０ｃは、第２突出部１３の継面１３ｃの全域に設定されている。
【００３９】
このような建物輪郭線２１は、屋根輪郭部２２の軒輪郭部２２ａ、第１ケラバ輪郭部２２ｃ、及び、第２突出輪郭部３０の第１輪郭片３０ａによって、建物Ｂの正面３１ａ（図６に示す）を形成している。また、建物輪郭線２１は、屋根輪郭部２２の一対の棟輪郭部２２ｂ、２２ｂ、第１突出輪郭部２９の各輪郭片２９ａ〜２９ｃ、及び、第２突出輪郭部３０の第２輪郭片３０ｂによって、建物Ｂの背面３１ｂを形成している。
【００４０】
さらに、建物輪郭線２１は、第２突出輪郭部３０の第３輪郭片３０ｃによって、建物Ｂの一方の側面３１ｃを形成している。また、建物輪郭線２１は、屋根輪郭部２２の第２ケラバ輪郭部２２ｄから、建物Ｂの他方の側面３１ｄを形成している。
【００４１】
そして、本発明の建物Ｂには、照明装置３５が設けられている。図７は、本実施形態の照明装置３５の部分斜視図である。本実施形態の照明装置３５は、光を放射する光源３６と、光源３６を保持するフレーム３７とを含み、ライン照明として構成されている。フレーム３７は、光源３６が屋外側を向くように、建物Ｂの外装部４に設けられている。これにより、照明装置３５は、建物周囲のライトアップや、防犯性を向上させるのに役立つ。
【００４２】
図５及び図６に示されるように、本実施形態の照明装置３５は、屋根輪郭部２２に沿って配置される屋根照明装置３５ａと、突出輪郭部２３に沿って配置される突出部照明装置３５ｂとを含んで構成されている。
【００４３】
本実施形態の屋根照明装置３５ａは、軒輪郭部２２ａに配置される軒照明装置４１、各棟輪郭部２２ｂ、２２ｂに配置される一対の棟照明装置４２、４２、並びに、第１ケラバ輪郭部２２ｃ及び第２ケラバ輪郭部２２ｄに配置される一対のケラバ照明装置４３、４４を含んで構成されている。
【００４４】
図１、図５及び図６に示されるように、本実施形態の軒照明装置４１は、軒輪郭部２２ａ上において、軒側化粧材１６ａに固着されている。また、軒照明装置４１の水平地盤面３８への投影形状４０ａ（図６に示す）は、軒輪郭部２２ａに沿って連続するライン状である。本明細書において、水平地盤面３８への投影形状４０は、図７に示したフレーム３７が、水平地盤面３８に投影された形状を意味している。なお、投影形状４０には、フレーム３７を固着するための取付金具等も含むものとする。
【００４５】
このような軒照明装置４１は、軒輪郭部２２ａに沿った連続するライン状の光により、水平地盤面３８を満遍なく照らすことができる。これにより、軒照明装置４１は、建物Ｂの軒輪郭部２２ａ側において、部分的な暗がりが生じるのを防ぐことができる。しかも、本実施形態の軒照明装置４１の投影形状４０ａは、軒輪郭部２２ａを途切れることなく連続している。このため、軒照明装置４１は、軒輪郭部２２ａ側において、部分的な暗がりが生じるのを効果的に防ぐことができる。従って、軒照明装置４１は、建物Ｂに死角が提供されるのを抑制でき、防犯性を向上させることができる。
【００４６】
図２、図５及び図６に示されるように、本実施形態の一対の棟照明装置４２、４２は、各棟輪郭部２２ｂ、２２ｂ上において、棟側化粧材１６ｂに固着されている。また、一対の棟照明装置４２、４２の水平地盤面３８への投影形状４０ｂ、４０ｂ（図６に示す）は、各棟輪郭部２２ｂ、２２ｂに沿って連続するライン状である。このような棟照明装置４２、４２も、各棟輪郭部２２ｂ、２２ｂに沿った連続するライン状の光により、建物Ｂの各棟輪郭部２２ｂ、２２ｂ側において、部分的な暗がりが生じるのを防ぐことができる。しかも、本実施形態の一対の棟照明装置４２、４２の各投影形状４０ｂ、４０ｂも、各棟輪郭部２２ｂ、２２ｂを途切れることなく連続しているため、各棟輪郭部２２ｂ、２２ｂ側において、部分的な暗がりが生じるのを効果的に防ぐことができる。
【００４７】
図１、図５及び図６に示されるように、一対のケラバ照明装置４３、４４は、各ケラバ輪郭部２２ｃ、２２ｄ上において、ケラバ側化粧材１６ｃ、１６ｄに固着されている。また、一対のケラバ照明装置４３、４４の水平地盤面３８への投影形状４０ｃ、４０ｄ（図６に示す）は、各ケラバ輪郭部２２ｃ、２２ｄに沿って連続するライン状である。このような各ケラバ照明装置４３、４４も、各ケラバ輪郭部２２ｃ、２２ｄに沿った連続するライン状の光により、建物Ｂの各ケラバ輪郭部２２ｃ、２２ｄ側において、部分的な暗がりが生じるのを防ぐことができる。しかも、本実施形態の各ケラバ照明装置４３、４４の投影形状４０ｃ、４０ｄも、各ケラバ輪郭部２２ｃ、２２ｄを途切れることなく連続しているため、各ケラバ輪郭部２２ｃ、２２ｄ側において、部分的な暗がりが生じるのを効果的に防ぐことができる。
【００４８】
図５に示されるように、本実施形態の突出部照明装置３５ｂは、第１突出輪郭部２９に配置される第１突出部照明装置４６と、第２突出輪郭部３０に配置される第２突出部照明装置４７とを含んで構成されている。
【００４９】
図２〜図６に示されるように、本実施形態の第１突出部照明装置４６は、第１突出輪郭部２９の第１輪郭片２９ａに配置される第１輪郭照明装置４６ａ、第２輪郭片２９ｂに配置される第２輪郭照明装置４６ｂと、第３輪郭片２９ｃに配置される第３輪郭照明装置４６ｃとを含んでいる。第１輪郭照明装置４６ａ、第２輪郭照明装置４６ｂ及び第３輪郭照明装置４６ｃは、第１突出輪郭部２９の各輪郭片２９ａ、２９ｂ及び２９ｃ上において、第１突出部１２の外壁１９（図２に示す）に固着されている。
【００５０】
第１輪郭照明装置４６ａの水平地盤面３８への投影形状４０ｆ（図６に示す）は、第１輪郭片２９ａに沿って連続するライン状である。また、第２輪郭照明装置４６ｂの水平地盤面３８への投影形状４０ｇも、第２輪郭片２９ｂに沿って連続するライン状である。さらに、第３輪郭照明装置４６ｃの水平地盤面３８への投影形状４０ｈも、第３輪郭片２９ｃに沿って連続するライン状である。
【００５１】
このような第１突出部照明装置４６（第１輪郭照明装置４６ａ〜第３輪郭照明装置４６ｃ）は、第１突出輪郭部２９の各輪郭片２９ａ、２９ｂ、２９ｃに沿った連続するライン状の光により、建物Ｂの各輪郭片２９ａ、２９ｂ、２９ｃ側において、部分的な暗がりが生じるのを防ぐことができる。しかも、本実施形態の第１輪郭照明装置４６ａ〜第３輪郭照明装置４６ｃの各投影形状４０ｆ〜４０ｈは、各輪郭片２９ａ、２９ｂ、２９ｃを途切れることなく連続しているため、各輪郭片２９ａ、２９ｂ、２９ｃ側において、部分的な暗がりが生じるのを効果的に防ぐことができる。
【００５２】
図１〜図３、図５及び図６に示されるように、第２突出部照明装置４７は、第２突出輪郭部３０の第１輪郭片３０ａに配置される第１輪郭照明装置４７ａと、第２輪郭片３０ｂに配置される第２輪郭照明装置４７ｂと、第３輪郭片３０ｃに配置される第３輪郭照明装置４７ｃとを含んでいる。第１輪郭照明装置４７ａ、第２輪郭照明装置４７ｂ及び第３輪郭照明装置４７ｃは、第２突出輪郭部３０の各輪郭片３０ａ、３０ｂ及び３０ｃ上において、第２突出部１３の外壁１９（図１に示す）に固着されている。
【００５３】
第１輪郭照明装置４７ａの水平地盤面３８への投影形状４０ｉ（図６に示す）は、第１輪郭片３０ａに沿って連続するライン状である。また、第２輪郭照明装置４７ｂの水平地盤面３８への投影形状４０ｊも、第２輪郭片３０ｂに沿って連続するライン状である。さらに、第３輪郭照明装置４７ｃの水平地盤面３８への投影形状４０ｋも、第３輪郭片３０ｃに沿って連続するライン状である。
【００５４】
このような第２突出部照明装置４７（第１輪郭照明装置４７ａ〜第３輪郭照明装置４７ｃ）も、第２突出輪郭部３０の各輪郭片３０ａ、３０ｂ、３０ｃに沿った連続するライン状の光により、建物Ｂの各輪郭片３０ａ、３０ｂ、３０ｃ側において、部分的な暗がりが生じるのを防ぐことができる。しかも、本実施形態の第１輪郭照明装置４７ａ〜第３輪郭照明装置４７ｃの各投影形状４０ｉ〜４０ｋも、各輪郭片３０ａ、３０ｂ、３０ｃを途切れることなく連続しているため、部分的な暗がりが生じるのを効果的に防ぐことができる。
【００５５】
このように、本実施形態の照明装置３５は、水平地盤面３８への投影形状４０が、少なくとも一つの建物輪郭線２１に沿って連続するライン状であるため、該建物輪郭線２１に沿って、水平地盤面３８を満遍なく照らすことができる。従って、本実施形態の照明装置３５は、建物Ｂの周囲に、部分的な暗がりが生じるのを防ぐことができ、防犯性を向上させることができる。
【００５６】
また、照明装置３５の投影形状４０は、向きが異なる複数の建物輪郭線２１（例えば、屋根輪郭部２２の軒輪郭部２２ａ及び第２ケラバ輪郭部２２ｄや、棟輪郭部２２ｂ及び突出輪郭部２３の第１突出輪郭部２９）に沿って屈曲している。これにより、照明装置３５は、暗がりが形成されやすい建物輪郭線２１の出隅部や、入隅部を照らすことができ、建物周囲に部分的な暗がりが生じるのを確実に防ぐことができる。
【００５７】
さらに、照明装置３５の投影形状４０は、軒照明装置４１、ケラバ照明装置４３、及び、第２突出部照明装置４７の第１輪郭照明装置４７ａにより、建物Ｂの正面３１ａを途切れることなく連続している。従って、照明装置３５は、正面３１ａの全域において、部分的な暗がりが生じるのを確実に防ぐことができる。
【００５８】
また、照明装置３５の投影形状４０は、一対の棟照明装置４２、４２、第１突出部照明装置４６の第１輪郭照明装置４６ａ〜第３輪郭照明装置４６ｃ、及び、第２突出部照明装置４７の第２輪郭照明装置４７ｂにより、建物Ｂの背面３１ｂを途切れることなく連続している。従って、照明装置３５は、背面３１ｂの全域において、部分的な暗がりが生じるのを確実に防ぐことができる。
【００５９】
さらに、照明装置３５の投影形状４０は、第２突出部照明装置４７の第３輪郭照明装置４７ｃにより、建物Ｂの一方の側面３１ｃを途切れることなく連続している。さらに、照明装置３５の投影形状４０は、ケラバ照明装置４４により、建物Ｂの他方の側面３１ｄを途切れることなく連続している。従って、照明装置３５は、一方の側面３１ｃ及び他方の側面３１ｄの全域において、部分的な暗がりが生じるのを確実に防ぐことができる。
【００６０】
また、本実施形態の照明装置３５の投影形状４０は、建物Ｂの正面３１ａ、背面３１ｂ、一方の側面３１ｃ、及び、他方の側面３１ｄを途切れることなく連続している。従って、本実施形態の照明装置３５の投影形状４０は、建物輪郭線２１の全部に沿って連続しているため、建物Ｂの全周囲において、部分的な暗がりが生じるのを確実に防ぐことができ、防犯性を効果的に向上させることができる。
【００６１】
本実施形態の照明装置３５の投影形状４０は、屋根輪郭部２２に沿った第１部分５１と、突出輪郭部２３に沿った第２部分５２とを有している。なお、本実施形態の第１部分５１は、軒照明装置４１の投影形状４０ａ、一対の棟照明装置４２、４２の投影形状４０ｂ、４０ｂ、及び、一対のケラバ照明装置４３、４４の投影形状４０ｃ、４０ｄである。また、本実施形態の第２部分５２は、第１突出部照明装置４６の投影形状４０ｆ、４０ｇ、４０ｈ、及び、第２突出部照明装置４７の投影形状４０ｉ、４０ｊ、４０ｋである。
【００６２】
このような第１部分５１及び第２部分５２は、屋根輪郭部２２及び突出輪郭部２３を含む複雑な建物輪郭線２１を有していても、各屋根輪郭部２２及び突出輪郭部２３に沿って連続することができる。従って、本実施形態の建物Ｂは、建物周囲に部分的な暗がりが生じるのを確実に防ぐことができ、防犯性を効果的に向上させることができる。
【００６３】
また、屋根照明装置３５ａは、屋根縁化粧材１６に設けられるため、建物Ｂの高い位置から広範囲に照らすことができる。さらに、屋根照明装置３５ａは、その光源３６が高い位置に設けられるため、建物周囲の遠方から視認することができる。また、本実施形態の突出部照明装置３５ｂも、突出部１１を形成する外壁１９の上端側に設けられるため、建物Ｂの比較的高い位置から広範囲に照らすことができる。従って、照明装置３５は、建物Ｂの周囲の広範囲に亘って、水平地盤面３８を効果的に照らすことができる。
【００６４】
本実施形態の照明装置３５は、各投影形状４０ａ〜４０ｋが、建物輪郭線２１（各輪郭部２２ａ〜２２ｄ及び各輪郭片２９ａ〜３０ｃ）において、互いに重複しないように配置されている。これにより、建物Ｂは、建物Ｂの周囲に部分的な暗がりが生じるのを防ぎつつ、照明装置３５のコストを低減することができる。なお、各投影形状４０ａ〜４０ｋは、建物輪郭線２１において、互いに重複してもよいのは言うまでもない。
【００６５】
本実施形態では、照明装置３５の投影形状４０が、建物輪郭線２１（各輪郭部２２ａ〜２２ｄ及び各輪郭片２９ａ〜３０ｃ）の全部に沿って連続するものが例示されたが、これに限定されるわけではない。例えば、全ての建物輪郭線２１のうち、照明が必要な建物輪郭線２１のみに沿って連続するように、照明装置３５の投影形状４０（例えば、投影形状４０ａ〜４０ｋのいずれか）が連続するものでもよい。このような建物Ｂは、照明な必要な建物輪郭線２１側において、部分的な暗がりが生じるのを防ぎつつ、照明装置３５のコストを低減することができる。 
【００６６】
図１〜図４に示されるように、照明装置３５は、例えば、軒照明装置４１や突出部照明装置３５ｂのように、各建物輪郭線２１において、同一高さで水平にのびるように配置されるのが望ましい。このような照明装置３５は、各建物輪郭線２１に沿って、水平地盤面３８側への照度を均一にすることができるため、部分的な暗がりが生じるのを効果的に防ぐことができる。
【００６７】
図７に示されるように、照明装置３５の光源３６は、例えば、発光ダイオード（ＬＥＤ）、有機ＥＬ、又は、蛍光灯等、種々の光源から適宜選択することができる。本実施形態の光源としては、光の指向性が強く、長寿命で消費電力が低い発光ダイオード（ＬＥＤ）が採用されるのが望ましい。
【００６８】
また、照明装置３５の光源３６は、図示しない制御手段によって、例えば、発光量、発光色、又は、点滅周波数等が制御されるのが望ましい。制御手段は、例えば、建物Ｂに設けられた人感センサーやカメラ等から伝達される信号に基づいて、光源３６の発光量や発光色等を制御してもよい。
【００６９】
例えば、制御手段は、不審者を検知した信号に基づいて、光源３６の発光色を、通常の発光色（例えば、白色）から警告色（例えば、赤色）に変化させるのが望ましい。このような警告色で発光される場合には、照明装置３５の光源３６を点滅させるのが望ましい。このような照明装置３５は、不審者に対して警告を与えるだけでなく、建物Ｂ内の住民や近隣の住民に対して、不審者の存在を伝達することができるため、建物Ｂの防犯性をさらに高めることができる。
【００７０】
また、制御手段は、例えば、建物Ｂの住人の帰宅を検知した信号に基づいて、光源３６の発光色を、通常の発光色からリラックス感を高める色（例えば、青色）に変化させるのが望ましい。さらに、制御手段は、例えば、時刻及び季節や、太陽光発電量及び省エネ度に基づいて、光源３６の発光量、発光色又は点滅周波数等を変化させてもよい。このような制御手段により、照明装置３５は、様々な条件に基づいて、建物Ｂのライトアップを変化させることができる。
【００７１】
本実施形態の照明装置３５は、建物輪郭線２１上に配置されるものが例示されたが、これに限定されるわけではない。例えば、照明装置３５は、建物輪郭線２１よりも屋内側に控えた位置に設けられてもよい。図８は、本発明の他の実施形態の建物Ｂの部分平面図である。なお、この図８では、図５に示した屋根パネル１５及び屋根縁化粧材１６の表示を省略している。
【００７２】
この実施形態では、軒照明装置４１、棟照明装置４２及び一対のケラバ照明装置４３、４４が、軒側Ｓ１及びケラバ側Ｓ３、Ｓ４の各軒天井５（図２及び図３に示す）に設けられている。これにより、軒照明装置４１及び一対のケラバ照明装置４３（図示省略）、４４は、軒輪郭部２２ａ及び各ケラバ輪郭部２２ｃ（図示省略）、２２ｄよりも屋内側に控えた位置に配置される。
【００７３】
また、棟照明装置４２は、図３に示した棟側化粧材１６ｂと外壁化粧材２０ｂとの間に設けられている。これにより、棟照明装置４２は、棟輪郭部２２ｂよりも屋内側に控えた位置に配置される。このような軒照明装置４１、棟照明装置４２及び一対のケラバ照明装置４３（図示省略）、４４は、建物本体３の外壁１９（図１に示す）に隣接して配置されるため、外壁１９に光を反射させることができる。従って、軒照明装置４１、棟照明装置４２及び一対のケラバ照明装置４３、４４は、建物輪郭線２１に沿って照度を均一にすることができる。
【００７４】
上記までの実施形態では、照明装置３５の投影形状４０が、建物輪郭線２１に沿って連続するライン状であるものが例示されたが、これに限定されるわけではない。例えば、照明装置３５の投影形状４０は、少なくとも一つ屋根輪郭線に沿って連続するライン状であるものでもよい。図９は、本発明のさらに他の実施形態の建物の平面図である。図１０は、図９の屋根輪郭線、及び、照明装置３５の水平地盤面３８への投影形状４０を示す平面図である。なお、この実施形態では、建物本体３（図１に示す）が、平面視において、屋根輪郭線６１よりも内側に配置されている。
【００７５】
平面視での屋根輪郭線６１は、屋根２の軒側Ｓ１に形成される軒輪郭線６１ａ、棟側Ｓ２に形成される棟輪郭線６１ｂ、屋根２の一方のケラバ側Ｓ３に形成される一方のケラバ輪郭線６１ｃ、及び、屋根２の他方のケラバ側Ｓ４に形成される他方のケラバ輪郭線６１ｄを含んでいる。
【００７６】
軒輪郭線６１ａは、軒側化粧材１６ａの外面の全域に設定されている。また、棟輪郭線６１ｂは、棟側化粧材１６ｂの外面の全域に設定されている。さらに、一対のケラバ輪郭線６１ｃ、６１ｄは、各ケラバ側化粧材１６ｃ、１６ｄの各外面の全域に設定されている。
【００７７】
本実施形態の照明装置３５は、屋根２に設けられる屋根照明装置３５ｃによって構成されている。この屋根照明装置３５ｃは、屋根輪郭線６１に沿って配置されている。
【００７８】
本実施形態の屋根照明装置３５ｃは、軒輪郭線６１ａに配置される軒照明装置６２、棟輪郭線６１ｂに配置される棟照明装置６３、並びに、各ケラバ輪郭線６１ｃ、６１ｄに配置される一対のケラバ照明装置６４、６５を含んで構成されている。
【００７９】
本実施形態の軒照明装置６２は、軒輪郭線６１ａ上において、軒側化粧材１６ａに固着されている。また、軒照明装置６２の水平地盤面３８への投影形状４０ｏは、軒輪郭線６１ａ（屋根輪郭線６１）に沿って連続するライン状である。このような軒照明装置６２は、軒輪郭線６１ａに沿った連続するライン状の光により、建物Ｂの軒輪郭線６１ａ側において、部分的な暗がりが生じるのを防ぐことができる。
【００８０】
しかも、本実施形態の軒照明装置６２の水平地盤面３８への投影形状４０ｏは、軒輪郭線６１ａを途切れることなく連続している。従って、軒照明装置６２は、軒輪郭線６１ａ側において、部分的な暗がりが生じるのを防ぐことができ、防犯性を向上させることができる。
【００８１】
本実施形態の棟照明装置６３は、棟輪郭線６１ｂ上において、棟側化粧材１６ｂに固着されている。また、棟照明装置６３の水平地盤面３８への投影形状４０ｐは、棟輪郭線６１ｂ（屋根輪郭線６１）に沿って連続するライン状である。このような棟照明装置６３も、棟輪郭線６１ｂに沿った連続するライン状の光により、建物Ｂの棟輪郭線６１ｂ側において、部分的な暗がりが生じるのを防ぐことができる。
【００８２】
しかも、本実施形態の棟照明装置６３の水平地盤面３８への投影形状４０ｐは、棟輪郭線６１ｂを途切れることなく連続している。従って、棟照明装置６３も、棟輪郭線６１ｂ側において、部分的な暗がりが生じるのを防ぐことができ、防犯性を向上させることができる。
【００８３】
本実施形態の各ケラバ照明装置６４、６５は、各ケラバ輪郭線６１ｃ、６１ｄ上において、ケラバ側化粧材１６ｃ、１６ｃに固着されている。また、各ケラバ照明装置６４、６５の水平地盤面３８への投影形状４０ｑ、４０ｒは、各ケラバ輪郭線６１ｃ、６１ｄ（屋根輪郭線６１）に沿って連続するライン状である。このような各ケラバ照明装置６４、６５も、各ケラバ輪郭線６１ｃ、６１ｄに沿った連続するライン状の光により、建物Ｂの各ケラバ輪郭線６１ｃ、６１ｄ側において、部分的な暗がりが生じるのを防ぐことができる。
【００８４】
しかも、本実施形態の各ケラバ照明装置６４、６５の水平地盤面３８への投影形状４０ｑ、４０ｒは、各ケラバ輪郭線６１ｃ、６１ｄを途切れることなく連続している。従って、各ケラバ照明装置６４、６５も、各ケラバ輪郭線６１ｃ、６１ｄ側において、部分的な暗がりが生じるのを防ぐことができ、防犯性を向上させることができる。
【００８５】
このように、この実施形態の照明装置３５は、水平地盤面３８への投影形状４０が、少なくとも一つの屋根輪郭線６１に沿って連続するライン状であるため、建物Ｂの周囲に、部分的な暗がりが生じるのを防ぐことができ、防犯性を向上させることができる。
【００８６】
また、この実施形態の照明装置３５の投影形状４０は、向きが異なる複数の屋根輪郭線６１（例えば、軒輪郭線６１ａ及び一方のケラバ輪郭線６１ｃや、棟輪郭線６１ｂ及び他方のケラバ輪郭線６１ｄ）に沿って屈曲している。これにより、照明装置３５は、暗がりが形成されやすい屋根輪郭線６１の出隅部を照らすことができ、建物周囲に部分的な暗がりが生じるのを確実に防ぐことができる。
【００８７】
さらに、この実施形態の照明装置３５の投影形状４０は、軒輪郭線６１ａ、棟輪郭線６１ｂ、及び、各ケラバ輪郭線６１ｃ、６１ｄを途切れることなく連続している。このため、この実施形態の照明装置３５の投影形状４０は、屋根輪郭線６１の全部に沿って連続している。このような照明装置３５は、建物Ｂの高い位置から建物Ｂの全周囲を広範囲に照らすことができる。さらに、照明装置３５は、その光源３６が高い位置に設けられるため、建物Ｂの全周囲において、遠方から視認することができる。従って、照明装置３５は、近隣の住民に対して、不審者の存在を効果的に伝達することができ、防犯性を高めることができる。
【００８８】
この実施形態の照明装置３５は、屋根輪郭線６１上に配置されるものが例示されたが、これに限定されるわけではない。例えば、照明装置３５は、例えば、屋根輪郭線６１よりも屋内側に控えた位置に設けられてもよい。このような照明装置３５は、建物本体３の外壁１９（図１に示す）に隣接して配置されるため、外壁１９に光を反射させることができる。
【００８９】
また、この実施形態では、照明装置３５の投影形状４０が、屋根輪郭線６１のみに沿って連続するものが例示されたが、これに限定されるわけではない。例えば、照明装置３５の投影形状４０は、屋根輪郭線６１に加えて、突出輪郭部２３を含む建物輪郭線２１（図５に示す）に沿って連続するものでもよい。このような建物Ｂは、屋根照明装置３５ｃの光が水平地盤面３８に届きにくい突出部１１（図５に示す）において、水平地盤面３８を照らすことができるため、建物Ｂの周囲に部分的な暗がりが生じるのを確実に防ぐことができる。
【００９０】
以上、本発明の特に好ましい実施形態について詳述したが、本発明は図示の実施形態に限定されることなく、種々の態様に変形して実施しうる。
【符号の説明】
【００９１】
Ｂ      建物
２１      建物輪郭線
３５      照明装置
３８      水平地盤面
４０      投影形状
【図１】
2015140644.tif 000003
【図２】
2015140644.tif 000004
【図３】
2015140644.tif 000005
【図４】
2015140644.tif 000006
【図５】
2015140644.tif 000007
【図６】
2015140644.tif 000008
【図７】
2015140644.tif 000009
【図８】
2015140644.tif 000010
【図９】
2015140644.tif 000011
【図１０】
2015140644.tif 000012